【手続補正書】
【提出日】平成16年10月6日(2004.10.6)
【手続補正１】
【補正対象書類名】明細書
【補正対象項目名】発明の名称
【補正方法】変更
【補正の内容】
【発明の名称】センタサーバ装置及びその制御方法及びその制御方法をコンピュータに実行させるためのプログラム
【手続補正２】
【補正対象書類名】明細書
【補正対象項目名】特許請求の範囲
【補正方法】変更
【補正の内容】
【特許請求の範囲】
【請求項１】
複数のクライアントコンピュータおよび印刷管理装置とネットワークを介して通信可能なセンタサーバ装置であって、
クライアントコンピュータから対象情報の印刷要求を受信する受信手段と、
前記受信した対象情報の印刷要求の履歴情報を格納する格納手段と、
前記格納された履歴情報に基づいて、複数の印刷管理装置の中から前記対象情報の印刷要求の転送先を選択する選択手段と、
前記転送先として選択された印刷管理装置へ前記印刷要求を転送する転送手段とを備えることを特徴とするセンタサーバ装置。
【請求項２】
前記履歴情報は、前記対象情報の印刷処理を実行した印刷管理装置、前記印刷管理装置での印刷処理の実行回数、前記印刷要求を識別するための注文番号、前記クライアントコンピュータのユーザを識別するための注文者番号、印刷処理の種類および印刷処理を実行した日時に関する情報のうち少なくとも１つであることを特徴とする請求項１記載のセンタサーバ装置。
【請求項３】
前記転送手段による転送を実行するか否かを設定する設定手段とを更に備えたことを特徴とする請求項１記載のセンタサーバ装置。
【請求項４】
前記履歴情報に基づき、前記転送手段による転送を実行するか否かを設定する設定手段とを更に備えたことを特徴とする請求項１記載のセンタサーバ装置。
【請求項５】
前記選択された印刷管理装置が前記対象情報を印刷処理できるか否かを判断する判断手段とを更に備え、
前記判断結果に応じて、前記転送手段は前記印刷要求を前記選択された印刷管理装置へ転送することを特徴とする請求項１記載のセンタサーバ装置。
【請求項６】
前記印刷管理装置は、対象情報を印刷する印刷装置と接続されていることを特徴とする請求項１記載のセンタサーバ装置。
【請求項７】
複数のクライアントコンピュータおよび印刷管理装置とネットワークを介して通信可能なセンタサーバ装置の制御方法であって、
クライアントコンピュータから対象情報の印刷要求を受信するステップと、
前記受信した対象情報の印刷要求の履歴情報を格納するステップと、
前記格納された履歴情報に基づいて、複数の印刷管理装置の中から前記対象情報の印刷要求の転送先を選択するステップと、
前記転送先として選択された印刷管理装置へ前記印刷要求を転送するステップとを備えたことを特徴とする制御方法。
【請求項８】
複数のクライアントコンピュータおよび印刷管理装置とネットワークを介して通信可能なセンタサーバ装置の制御方法をコンピュータに実行させるためのプログラムであって、
クライアントコンピュータから対象情報の印刷要求を受信するステップと、
前記受信した対象情報の印刷要求の履歴情報を格納するステップと、
前記格納された履歴情報に基づいて、複数の印刷管理装置の中から前記対象情報の印刷要求の転送先を選択するステップと、
前記転送先として選択された印刷管理装置へ前記印刷要求を転送するステップとをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、ネットワーク経由でクライアントコンピュータから要求された対象情報の印刷処理を実行する印刷管理装置を、複数の印刷管理装置の中から決定するために用いられるセンタサーバ装置及びその制御方法及びその制御方法をコンピュータに実行させるためのプログラムに関する。
【手続補正４】
【補正対象書類名】明細書
【補正対象項目名】０００７
【補正方法】変更
【補正の内容】
【０００７】
そこで、本発明は、上記の欠点を除去するために成されたもので、ユーザのクライアントコンピュータから印刷要求された対象情報を、常に容易且つ効率的に印刷処理できる、センタサーバ装置及びその制御方法及びその制御方法をコンピュータに実行させるためのプログラムを提供することを目的とする。具体的には例えば、ユーザがクライアントコンピュータを使って対象情報をセンタサーバ装置にアップロードする際に予め印刷管理装置を選択する必要がなく、ユーザがいつもの印刷管理装置で印刷処理を行う場合には既に印刷データを配信済みとし、ユーザが他の印刷管理装置で印刷処理を行う場合であっても当該印刷管理装置に対して対象情報を配信可能とするように構成することで、ユーザの操作性を向上させると共に、印刷処理に要する時間及び工数を短縮する。
【手続補正５】
【補正対象書類名】明細書
【補正対象項目名】０００８
【補正方法】変更
【補正の内容】
【０００８】
【課題を解決するための手段】
本発明のセンタサーバ装置は、複数のクライアントコンピュータおよび印刷管理装置とネットワークを介して通信可能なセンタサーバ装置であって、クライアントコンピュータから対象情報の印刷要求を受信する受信手段と、前記受信した対象情報の印刷要求の履歴情報を格納する格納手段と、前記格納された履歴情報に基づいて、複数の印刷管理装置の中から前記対象情報の印刷要求の転送先を選択する選択手段と、前記転送先として選択された印刷管理装置へ前記印刷要求を転送する転送手段とを備えることを特徴とする。
【手続補正６】
【補正対象書類名】明細書
【補正対象項目名】０００９
【補正方法】変更
【補正の内容】
【０００９】
また、本発明の制御方法は、複数のクライアントコンピュータおよび印刷管理装置とネットワークを介して通信可能なセンタサーバ装置の制御方法であって、クライアントコンピュータから対象情報の印刷要求を受信するステップと、前記受信した対象情報の印刷要求の履歴情報を格納するステップと、前記格納された履歴情報に基づいて、複数の印刷管理装置の中から前記対象情報の印刷要求の転送先を選択するステップと、前記転送先として選択された印刷管理装置へ前記印刷要求を転送するステップとを備えたことを特徴とする。
【手続補正７】
【補正対象書類名】明細書
【補正対象項目名】００１０
【補正方法】変更
【補正の内容】
【００１０】
また、本発明のプログラムは、複数のクライアントコンピュータおよび印刷管理装置とネットワークを介して通信可能なセンタサーバ装置の制御方法をコンピュータに実行させるためのプログラムであって、クライアントコンピュータから対象情報の印刷要求を受信するステップと、前記受信した対象情報の印刷要求の履歴情報を格納するステップと、前記格納された履歴情報に基づいて、複数の印刷管理装置の中から前記対象情報の印刷要求の転送先を選択するステップと、前記転送先として選択された印刷管理装置へ前記印刷要求を転送するステップとをコンピュータに実行させるためのプログラムである。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
具体的には例えば、本発明を、システム全体を管理するセンタサーバ装置と、印刷装置を管理する複数の印刷管理装置とがネットワークを介して接続された印刷システムに適用した場合、センタサーバ装置は、ユーザのクライアントコンピュータからの過去の印刷要求の履歴情報を参照することで、今回の印刷要求を転送すべき印刷管理装置を複数の印刷管理装置の中から選択して転送する。このような構成により、ユーザがクライアントコンピュータからアップロードする際に印刷処理する印刷管理装置を指定しなくとも、適切な印刷管理装置に対して印刷要求を転送することが可能となる。
【手続補正１９】
【補正対象書類名】明細書
【補正対象項目名】００７６
【補正方法】変更
【補正の内容】
【００７６】
【発明の効果】
以上説明したように本発明では、クライアントコンピュータから受信した対象情報の印刷要求の履歴情報に基づいて、複数の印刷管理装置の中から対象情報の印刷要求の転送先を選択するように構成した。このような構成により、ユーザは、印刷要求をする際に、どの印刷管理装置で印刷処理を実行するかを予め指定する必要はなく、適切な印刷管理装置による印刷処理を実行することができる。例えば、ユーザが主に利用する印刷管理装置に対して印刷要求を転送することにより、印刷処理に要する時間及び工数を短縮することができ、効率的に印刷処理を行うことができる。